(57)【要約】【課題】著作権保護方式で視聴期限が管理されたコンテンツを可換型メディアに書き出した場合、その書き出されたコンテンツに対しては、その著作権保護方式で規定される時刻管理の信頼度に応じた視聴期限の管理ができなかった。【解決手段】コンテンツ受信機２１１は、コンテンツサーバ１００から受信したコンテンツ１０４とともに、著作権保護方式（ＤＲＭ）で指定された第２の時刻供給源２１３を示す時刻供給源指定情報２００をコンテンツに関連付けて可換型メディア１０３に書き出す。コンテンツ再生機２１０は、時刻供給源指定情報が可換型メディアに記録されている場合には、コンテンツ保護方式（ＣＰＳ）で視聴期限を判定する際に用いる現在時刻を特定するために参照する第１の時刻供給源１１６の代わりとして、時刻供給源指定情報で示される第２の時刻供給源に基づいて得た時刻を参照して、可換型メディアに記録されたコンテンツの視聴期限判定を行う。【選択図】図１
2011081764.tif 000002
【特許請求の範囲】
【請求項１】
著作権保護方式で視聴期限が管理されるコンテンツをコンテンツサーバから受信し、コンテンツ保護方式で管理される可換型メディアに前記コンテンツを書き出すコンテンツ受信機であって、
前記可換型メディアを挿入されたコンテンツ再生機が前記コンテンツ保護方式で視聴期限を判定する際に用いる現在時刻を特定するために参照する前記コンテンツ保護方式の第１の時刻供給源の代わりとして、前記著作権保護方式で指定された第２の時刻供給源を示す時刻供給源指定情報を前記コンテンツに関連付けて、前記可換型メディアに書き出す書き出し部を備えた、コンテンツ受信機。
【請求項２】
前記書き出し部は、前記著作権保護方式によって付与される前記コンテンツの視聴期限情報も前記可換型メディアに書き出す、請求項１に記載のコンテンツ受信機。
【請求項３】
前記書き出し部が前記可換型メディアに書き出す前記時刻供給源指定情報は、前記著作権保護方式で管理されるサーバのＵＲＬである、請求項１に記載のコンテンツ受信機。
【請求項４】
前記コンテンツの視聴期限情報が前記コンテンツの視聴可能な時間の長さである場合には、前記コンテンツの視聴期限情報を前記コンテンツの視聴可能な期限日時に変換する視聴条件変換部を備え、
前記書き出し部は、前記視聴条件変換部により変換された視聴期限情報を前記可換型メディアに書き出す、請求項２に記載のコンテンツ受信機。
【請求項５】
コンテンツ保護方式で管理される可換型メディアに記録されたコンテンツを再生するコンテンツ再生機であって、
著作権保護方式で視聴期限が管理されるコンテンツに関連して前記著作権保護方式で指定された、第２の時刻供給源を示す時刻供給源指定情報が前記可換型メディアに記録されている場合には、前記コンテンツ保護方式で視聴期限を判定する際に用いる現在時刻を特定するために参照する前記コンテンツ保護方式の第１の時刻供給源の代わりとして、前記時刻供給源指定情報で示される前記第２の時刻供給源に基づいて得た時刻を参照して、前記可換型メディアに記録された前記コンテンツの視聴期限判定を行う視聴期限判定部を備えた、コンテンツ再生機。
【請求項６】
前記視聴期限判定部が参照する前記コンテンツ保護方式の前記第１の時刻供給源は、前記コンテンツ保護方式が運用し、複数のコンテンツ再生機を対象にネットワーク経由で時刻情報を供給する前記コンテンツ保護方式の時刻サーバである、請求項５に記載のコンテンツ再生機。
【請求項７】
さらに、ユーザから変更のできないセキュアクロックを用いて時刻を運針管理するセキュア時計部を備え、
前記視聴期限判定部は、前記コンテンツ保護方式の前記第１の時刻供給源として前記セキュア時計部から取得した時刻情報を用いて、前記コンテンツの視聴期限判定を行う、請求項５に記載のコンテンツ再生機。
【請求項８】
前記時刻供給源指定情報で示される前記第２の時刻供給源は、前記コンテンツを前記可換型メディアに書き込んだコンテンツ受信機が前記コンテンツを受信する際に使用した、前記著作権保護方式で管理されるサーバであり、
前記視聴期限判定部は、前記サーバから取得した時刻情報を用いて、前記コンテンツの視聴期限判定を行う、請求項５に記載のコンテンツ再生機。
【請求項９】
さらに、前記時刻供給源指定情報で示される前記第２の時刻供給源から取得した時刻情報によって更新され、時刻を運針管理する機器内時刻供給源を備え、
前記視聴期限判定部は、前記更新の間の期間は、前記機器内時刻供給源から取得した時刻情報を、前記可換型メディアに記録された前記コンテンツの視聴期限判定に用いる、請求項５に記載のコンテンツ再生機。
【請求項１０】
前記視聴期限判定部は、前記視聴期限の超過判定をする前に、その視聴期限が未確定タイプである場合、確定する必要があるので、前記可換型メディアに記録されている前記時刻供給源指定情報に基づいて視聴期限を確定する、請求項５に記載のコンテンツ再生機。
【請求項１１】
前記未確定タイプの視聴期限は、前記コンテンツを視聴可能な時間の長さが前記著作権保護方式によって付与されたものであり、
前記視聴期限判定部は、前記時刻供給源指定情報で指定された前記第２の時刻供給源から取得した時刻を基に、現在時刻を視聴可能な開始時刻とし、前記未確定タイプの視聴期限を確定する、請求項１０に記載のコンテンツ再生機。
【請求項１２】
著作権保護方式で視聴期限が管理されるコンテンツを送信するコンテンツサーバと、前記コンテンツサーバから前記コンテンツを受信してコンテンツ保護方式で管理される可換型メディアに書き出すコンテンツ受信機と、前記可換型メディアに記録された前記コンテンツを再生するコンテンツ再生機と、を備えたコンテンツ再生システムであって、
前記コンテンツ受信機は、
前記著作権保護方式で指定された第２の時刻供給源を示す時刻供給源指定情報を前記コンテンツに関連付けて前記可換型メディアに書き出す書き出し部を有し、
前記コンテンツ再生機は、
前記時刻供給源指定情報が前記可換型メディアに記録されている場合には、前記コンテンツ保護方式で視聴期限を判定する際に用いる現在時刻を特定するために参照する前記コンテンツ保護方式の第１の時刻供給源の代わりとして、前記時刻供給源指定情報で示される前記第２の時刻供給源に基づいて得た時刻を参照して、前記可換型メディアに記録された前記コンテンツの視聴期限判定を行う視聴期限判定部を有する、コンテンツ再生システム。
【請求項１３】
著作権保護方式で視聴期限が管理されるコンテンツをコンテンツサーバから受信し、コンテンツ保護方式で管理される可換型メディアに前記コンテンツを書き出すコンテンツ受信機における、コンテンツ書き出し方法であって、
前記可換型メディアを挿入されたコンテンツ再生機が前記コンテンツ保護方式で視聴期限を判定する際に用いる現在時刻を特定するために参照する前記コンテンツ保護方式の第１の時刻供給源の代わりとして、前記著作権保護方式で指定された第２の時刻供給源を示す時刻供給源指定情報を前記コンテンツに関連付けて、前記可換型メディアに書き出す、コンテンツ書き出し方法。
【請求項１４】
コンテンツ保護方式で管理される可換型メディアに記録されたコンテンツを再生するコンテンツ再生機における視聴期限判定方法であって、
著作権保護方式で視聴期限が管理されるコンテンツに関連して前記著作権保護方式で指定された、第２の時刻供給源を示す時刻供給源指定情報が前記可換型メディアに記録されている場合には、
前記可換型メディアを挿入されたコンテンツ再生機が前記コンテンツ保護方式で視聴期限を判定する際に用いる現在時刻を特定するために参照する前記コンテンツ保護方式の第１の時刻供給源の代わりとして、前記時刻供給源指定情報で示される前記第２の時刻供給源に基づいて得た時刻を参照して、前記可換型メディアに記録された前記コンテンツの視聴期限判定を行う、視聴期限判定方法。
【請求項１５】
請求項１３に記載のコンテンツ書き出し方法の、前記可換型メディアを挿入されたコンテンツ再生機が前記コンテンツ保護方式で視聴期限を判定する際に用いる現在時刻を特定するために参照する前記コンテンツ保護方式の第１の時刻供給源の代わりとして、前記著作権保護方式で指定された第２の時刻供給源を示す時刻供給源指定情報を前記コンテンツに関連付けて、前記可換型メディアに書き出すステップをコンピュータに実行させるプログラム。
【請求項１６】
請求項１４に記載の視聴期限判定方法の、前記可換型メディアを挿入されたコンテンツ再生機が前記コンテンツ保護方式で視聴期限を判定する際に用いる現在時刻を特定するために参照する前記コンテンツ保護方式の第１の時刻供給源の代わりとして、前記時刻供給源指定情報で示される前記第２の時刻供給源に基づいて得た時刻を参照して、前記可換型メディアに記録された前記コンテンツの視聴期限判定を行うステップをコンピュータに実行させるプログラム。
【請求項１７】
請求項１５または１６に記載のプログラムを記録した記録媒体であって、コンピュータにより処理可能な記録媒体。
【発明の詳細な説明】
【技術分野】
【０００１】
本発明は、ネットワーク上のコンテンツサーバから著作権保護されたレンタルコンテンツをダウンロードし、可換型メディアに視聴期限とともに書き出し、コンテンツ再生機で可換型メディア上の視聴期限を判定してコンテンツの再生可否を判断する、コンテンツ受信機、コンテンツ再生機、コンテンツ再生システム、コンテンツ書き出し方法および視聴期限判定方法等に関する。
【背景技術】
【０００２】
近年、インターネットの発達により、映画や音楽等をダウンロードして再生する技術が一般化しつつある。映画や音楽等のコンテンツ配信を行うサーバから、ＰＣ、ＡＶ機器、携帯電話やポータブル機器にネットワーク経由でコンテンツをダウンロードするサービスが多く提供されている。
【０００３】
このようなコンテンツ配信サービスの形態においては、ユーザが購入したコンテンツを永続的に視聴可能な売り切り型のコンテンツ販売と、ダウンロードしたコンテンツを限られた視聴期限の中で視聴することが可能なレンタル販売とがある。
【０００４】
典型的なダウンロード型のレンタル販売においては、コンテンツを供給するコンテンツ事業者がコンテンツサーバとＤＲＭサーバを運用し、視聴者側のコンテンツ受信機はコンテンツサーバから暗号化されたレンタルコンテンツをダウンロードするとともに、ＤＲＭサーバから暗号化コンテンツの復号鍵とコンテンツの視聴条件とを取得する。コンテンツの視聴条件の中には、当該コンテンツを視聴することが許される視聴期限情報や、コンテンツの複製条件などが含まれる。コンテンツ受信機はレンタルコンテンツを再生する場合に、ＤＲＭサーバから指定された視聴期限を参照し、視聴期限が超過していなければ当該コンテンツの再生を開始するとともに、視聴期限を超過していれば当該コンテンツの削除を実施する。この種の視聴期限管理方法として例えば、特許文献１に記載されているようなものがあった。
【０００５】
図４に、従来のコンテンツダウンロードにおけるレンタルコンテンツの視聴期限管理方法の概念を説明するための、従来のコンテンツ配信システムの構成図を示す。
【０００６】
コンテンツ受信機１０２はネットワーク（図示せず）を介して、コンテンツ事業者の運営するコンテンツサーバ１００およびＤＲＭサーバ１０１にアクセスする。
【０００７】
コンテンツ受信機１０２は別途ユーザが指定したレンタルコンテンツのダウンロードを実施するに際し、暗号化されたコンテンツ１０４をコンテンツサーバ１００からダウンロードして内蔵ＨＤＤなどの蓄積媒体１３１に蓄積するとともに、暗号化されたコンテンツ１０４の復号のためのコンテンツ鍵１０５と、コンテンツ１０４の視聴期限などの視聴条件１３０とをＤＲＭサーバ１０１から取得する。
【０００８】
コンテンツ受信機１０２自身がコンテンツの再生を実施する際には、視聴期限判定部１３３が、セキュア時計１３４から現在の日時情報を読み出し、ＤＲＭサーバ１０１から取得した視聴条件１３０に含まれる視聴期限と比較することにより、コンテンツ１０４の視聴期限が超過していないかを判定したのち、超過していなければ、ＤＲＭ復号部１０７によってコンテンツ鍵１０５を用いて、暗号化されたコンテンツ１０４を復号させ、出力部１３２に出力させてコンテンツ１０４を再生する。
【０００９】
以下の説明では、これをさらに発展させ、コンテンツ受信機１０２がコンテンツサーバ１００から受信したレンタルコンテンツであるコンテンツ１０４を、ＳＤカード１０３に書き出し、コンテンツ受信機１０２とは別のコンテンツ再生機１１９で視聴を行う場合について説明する。
【００１０】
コンテンツ受信機１０２はＤＲＭ復号部１０７において、暗号化されたコンテンツ１０４をコンテンツ鍵１０５を用いて復号するとともに、ＣＰＳ暗号化部１０８においてＳＤカード用のＣＰＳ（Ｃｏｎｔｅｎｔｓ  Ｐｒｏｔｅｃｔｉｏｎ  Ｓｙｓｔｅｍ）であるところのＣＰＲＭ（Ｃｏｎｔｅｎｔｓ  Ｐｒｏｔｅｃｔｉｏｎ  ｆｏｒ  Ｒｅｍｏｖａｂｌｅ  Ｍｅｄｉａ）形式で再度暗号化を実施し、ＳＤカード１０３に書き込むとともに、ＣＰＳ暗号の復号に用いるＣＰＳ鍵１２１をコンテンツ１０４に関連付けて書き込む。また、コンテンツ受信機１０２の視聴条件変換部１０９は、ＤＲＭサーバ１０１から受信したコンテンツ１０４の視聴条件１３０に含まれる視聴期限をＣＰＳ形式に変換し、ＣＰＳ視聴期限１１０として、コンテンツ１０４に関連付けてＳＤカード１０３に記録する。
【００１１】
コンテンツ再生機１１９は、ＣＰＲＭ形式で記録されたＳＤカードの再生機能を持つコンテンツ視聴端末である。
【００１２】
コンテンツ再生機１１９に挿入されたＳＤカード１０３上に記録されたコンテンツ１０４を再生する場合には、まず視聴期限取得部１４０が、ＳＤカード１０３上から、コンテンツ１０４に関連付けられたＣＰＳ視聴期限１１０を読み出し、視聴期限判定部１１３に渡す。視聴期限判定部１１３は視聴期限取得部１４０からＣＰＳ視聴期限１１０を受取ると、記憶しておいた時刻設定日時１１５と、セキュア時計１１４から現在の日時情報とを読み出す。時刻設定日時１１５とは、前回セキュア時計１１４の時刻設定を行ったときの日時情報、すなわち最後にセキュア時計１１４の時刻の更新を行なったときの日時情報であり、コンテンツ再生機１１９内に記憶している。
【００１３】
このセキュア時計１１４における日時管理は、ＣＰＳ時刻を供給するＣＰＳ時刻サーバ１１６からネットワークを介して取得したＣＰＳ時刻１１７をセキュア時計１１４内に設定して運針管理を行う。機器の時計には誤差があるため、一旦設定した時刻情報は永遠に信頼できるわけではなく、ＣＰＳ時刻サーバ１１６から取得したＣＰＳ時刻１１７を信頼する期間を予め定めておく。例えばここでは、ＣＰＳ時刻１１７を取得してから１週間が経過すると、誤差が集積して時刻が信頼できないと判断し、ＣＰＳ時刻サーバ１１６から再度ＣＰＳ時刻１１７を取得するが、１週間が経過するまでの間は、前回取得したＣＰＳ時刻１１７を基に更新され運針管理されているセキュア時計１１４の日時情報を信頼し、ＣＰＳ時刻サーバ１１６からのＣＰＳ時刻１１７の再取得は行わない。
【００１４】
このようにしてセキュア時計１１４から得られた日時情報を基に、視聴期限判定部１１３はＣＰＳ視聴期限１１０が超過していないかどうかを判定し、期限超過していない場合には、再生制御部１２０に対してコンテンツ１０４の再生が可能である旨を通知する。
【００１５】
ＣＰＳ復号部１１１は、再生制御部１２０からコンテンツ１０４の再生が可能である旨を受け取り、ＳＤカード１０３上からコンテンツ１０４を読み出すとともに、ＣＰＳ鍵１２１でこれを復号した平文のコンテンツ１０４を出力部１１２に対して出力する。出力部１１２は、コンテンツ１０４をデコードしてＡＶ信号として出力する。
【先行技術文献】
【特許文献】
【００１６】
【特許文献１】特開２００３−２８８２７４号公報
【発明の概要】
【発明が解決しようとする課題】
【００１７】
しかしながら、上記従来の技術においては、著作権保護方式で視聴期限が管理されたコンテンツを交換可能な記録メディア（本明細書では「可換型メディア」と呼ぶ）に書き出した場合、その書き出されたコンテンツに対しては、その著作権保護方式で規定される時刻管理の信頼度に応じた視聴期限の管理ができなかった。
【００１８】
すなわち、上記従来のコンテンツ配信システムのコンテンツ再生機１１９では、もともとのコンテンツ１０４がコンテンツ事業者から供給された際に運用されていたＤＲＭサーバにおける時刻管理とは全く独立した、ＣＰＳ時刻サーバ１１６から取得したＣＰＳ時刻１１７を基に視聴期限判定を行っている。
【００１９】
コンテンツ事業者がコンテンツ権利者すなわち映画の製作スタジオなどから、コンテンツ調達の契約を締結する際には、著作権保護方式であるコンテンツ配信システムすなわちＤＲＭシステムにおける技術要件を詳細に審査したのち、ＤＲＭ技術の信頼性を納得してもらった上でコンテンツ事業におけるコンテンツ調達許諾が得られることが通例である。
【００２０】
技術的視点でこれを捉えると、ＤＲＭサーバ１０１を含むＤＲＭシステムの時刻管理の精度や信頼度をもとにコンテンツ受信機１０２がレンタルコンテンツであるコンテンツ１０４を視聴することは、コンテンツ事業者およびコンテンツ権利者が許諾した上記の技術要件の想定内である。このようにＤＲＭで保護されている状態のコンテンツ１０４を、配信に用いられたＤＲＭ以外のコンテンツ保護方式であるＣＰＳに出力する、すなわちエクスポートすると、コンテンツ受信機１０２に配信されて蓄積されているまではＤＲＭの管理下で保護されていたコンテンツ１０４が、ＳＤカードなどにエクスポートされた以降は、ＤＲＭの管理下ではなくＣＰＳの管理下で保護されることになる。しかし、エクスポート先のＣＰＳにおける時刻管理の精度や信頼度が、もとのＤＲＭと同等以上であるという保証が必ずしもない。このため、時刻管理の信頼度の低いＣＰＳにエクスポートされてしまうという可能性があり、コンテンツ事業者およびコンテンツ権利者の意図した視聴条件すなわち視聴可能時間などが遵守されない可能性を示している。
【００２１】
具体的には、コンテンツ事業者が意図したＤＲＭシステムの時刻信頼性に比べて、ＣＰＳ時刻サーバ１１６の精度が低かったり、時刻にずれがあったり、故障耐性が低かったりすると、ＤＲＭサーバ１０１がコンテンツ受信機１０２に許諾したコンテンツ１０４の視聴期限の範囲を超えてコンテンツ再生機１１９がコンテンツ１０４の再生ができてしまったり、逆に、本来指定された視聴期限までにはまだ時間があるのに誤って視聴期限超過と判断されてしまったりするという課題があった。
【００２２】
本発明は、上記従来の課題を考慮して、著作権保護方式で視聴期限が管理されたコンテンツを可換型メディアに書き出した場合に、その書き出されたコンテンツに対しても、その著作権保護方式で規定される時刻管理の信頼度に応じた視聴期限の管理ができる、コンテンツ受信機、コンテンツ再生機、コンテンツ再生システム、コンテンツ書き出し方法および視聴期限判定方法等を提供することを目的とする。
【課題を解決するための手段】
【００２３】
上述した課題を解決するために、第１の本発明は、
著作権保護方式で視聴期限が管理されるコンテンツをコンテンツサーバから受信し、コンテンツ保護方式で管理される可換型メディアに前記コンテンツを書き出すコンテンツ受信機であって、
前記可換型メディアを挿入されたコンテンツ再生機が前記コンテンツ保護方式で視聴期限を判定する際に用いる現在時刻を特定するために参照する前記コンテンツ保護方式の第１の時刻供給源の代わりとして、前記著作権保護方式で指定された第２の時刻供給源を示す時刻供給源指定情報を前記コンテンツに関連付けて、前記可換型メディアに書き出す書き出し部を備えた、コンテンツ受信機である。
【００２４】
また、第２の本発明は、
前記書き出し部は、前記著作権保護方式によって付与される前記コンテンツの視聴期限情報も前記可換型メディアに書き出す、第１の本発明のコンテンツ受信機である。
【００２５】
また、第３の本発明は、
前記書き出し部が前記可換型メディアに書き出す前記時刻供給源指定情報は、前記著作権保護方式で管理されるサーバのＵＲＬである、第１の本発明のコンテンツ受信機である。
【００２６】
また、第４の本発明は、
前記コンテンツの視聴期限情報が前記コンテンツの視聴可能な時間の長さである場合には、前記コンテンツの視聴期限情報を前記コンテンツの視聴可能な期限日時に変換する視聴条件変換部を備え、
前記書き出し部は、前記視聴条件変換部により変換された視聴期限情報を前記可換型メディアに書き出す、第２の本発明のコンテンツ受信機である。
【００２７】
また、第５の本発明は、
コンテンツ保護方式で管理される可換型メディアに記録されたコンテンツを再生するコンテンツ再生機であって、
著作権保護方式で視聴期限が管理されるコンテンツに関連して前記著作権保護方式で指定された、第２の時刻供給源を示す時刻供給源指定情報が前記可換型メディアに記録されている場合には、前記コンテンツ保護方式で視聴期限を判定する際に用いる現在時刻を特定するために参照する前記コンテンツ保護方式の第１の時刻供給源の代わりとして、前記時刻供給源指定情報で示される前記第２の時刻供給源に基づいて得た時刻を参照して、前記可換型メディアに記録された前記コンテンツの視聴期限判定を行う視聴期限判定部を備えた、コンテンツ再生機である。
【００２８】
また、第６の本発明は、
前記視聴期限判定部が参照する前記コンテンツ保護方式の前記第１の時刻供給源は、前記コンテンツ保護方式が運用し、複数のコンテンツ再生機を対象にネットワーク経由で時刻情報を供給する前記コンテンツ保護方式の時刻サーバである、第５の本発明のコンテンツ再生機である。
【００２９】
また、第７の本発明は、
さらに、ユーザから変更のできないセキュアクロックを用いて時刻を運針管理するセキュア時計部を備え、
前記視聴期限判定部は、前記コンテンツ保護方式の前記第１の時刻供給源として前記セキュア時計部から取得した時刻情報を用いて、前記コンテンツの視聴期限判定を行う、第５の本発明のコンテンツ再生機である。
【００３０】
また、第８の本発明は、
前記時刻供給源指定情報で示される前記第２の時刻供給源は、前記コンテンツを前記可換型メディアに書き込んだコンテンツ受信機が前記コンテンツを受信する際に使用した、前記著作権保護方式で管理されるサーバであり、
前記視聴期限判定部は、前記サーバから取得した時刻情報を用いて、前記コンテンツの視聴期限判定を行う、第５の本発明のコンテンツ再生機である。
【００３１】
また、第９の本発明は、
さらに、前記時刻供給源指定情報で示される前記第２の時刻供給源から取得した時刻情報によって更新され、時刻を運針管理する機器内時刻供給源を備え、
前記視聴期限判定部は、前記更新の間の期間は、前記機器内時刻供給源から取得した時刻情報を、前記可換型メディアに記録された前記コンテンツの視聴期限判定に用いる、第５の本発明のコンテンツ再生機である。
【００３２】
また、第１０の本発明は、
前記視聴期限判定部は、前記視聴期限の超過判定をする前に、その視聴期限が未確定タイプである場合、確定する必要があるので、前記可換型メディアに記録されている前記時刻供給源指定情報に基づいて視聴期限を確定する、第５の本発明のコンテンツ再生機である。
【００３３】
また、第１１の本発明は、
前記未確定タイプの視聴期限は、前記コンテンツを視聴可能な時間の長さが前記著作権保護方式によって付与されたものであり、
前記視聴期限判定部は、前記時刻供給源指定情報で指定された前記第２の時刻供給源から取得した時刻を基に、現在時刻を視聴可能な開始時刻とし、前記未確定タイプの視聴期限を確定する、第１０の本発明のコンテンツ再生機である。
【００３４】
また、第１２の本発明は、
著作権保護方式で視聴期限が管理されるコンテンツを送信するコンテンツサーバと、前記コンテンツサーバから前記コンテンツを受信してコンテンツ保護方式で管理される可換型メディアに書き出すコンテンツ受信機と、前記可換型メディアに記録された前記コンテンツを再生するコンテンツ再生機と、を備えたコンテンツ再生システムであって、
前記コンテンツ受信機は、
前記著作権保護方式で指定された第２の時刻供給源を示す時刻供給源指定情報を前記コンテンツに関連付けて前記可換型メディアに書き出す書き出し部を有し、
前記コンテンツ再生機は、
前記時刻供給源指定情報が前記可換型メディアに記録されている場合には、前記コンテンツ保護方式で視聴期限を判定する際に用いる現在時刻を特定するために参照する前記コンテンツ保護方式の第１の時刻供給源の代わりとして、前記時刻供給源指定情報で示される前記第２の時刻供給源に基づいて得た時刻を参照して、前記可換型メディアに記録された前記コンテンツの視聴期限判定を行う視聴期限判定部を有する、コンテンツ再生システムである。
【００３５】
また、第１３の本発明は、
著作権保護方式で視聴期限が管理されるコンテンツをコンテンツサーバから受信し、コンテンツ保護方式で管理される可換型メディアに前記コンテンツを書き出すコンテンツ受信機における、コンテンツ書き出し方法であって、
前記可換型メディアを挿入されたコンテンツ再生機が前記コンテンツ保護方式で視聴期限を判定する際に用いる現在時刻を特定するために参照する前記コンテンツ保護方式の第１の時刻供給源の代わりとして、前記著作権保護方式で指定された第２の時刻供給源を示す時刻供給源指定情報を前記コンテンツに関連付けて、前記可換型メディアに書き出す、コンテンツ書き出し方法である。
【００３６】
また、第１４の本発明は、
コンテンツ保護方式で管理される可換型メディアに記録されたコンテンツを再生するコンテンツ再生機における視聴期限判定方法であって、
著作権保護方式で視聴期限が管理されるコンテンツに関連して前記著作権保護方式で指定された、第２の時刻供給源を示す時刻供給源指定情報が前記可換型メディアに記録されている場合には、
前記可換型メディアを挿入されたコンテンツ再生機が前記コンテンツ保護方式で視聴期限を判定する際に用いる現在時刻を特定するために参照する前記コンテンツ保護方式の第１の時刻供給源の代わりとして、前記時刻供給源指定情報で示される前記第２の時刻供給源に基づいて得た時刻を参照して、前記可換型メディアに記録された前記コンテンツの視聴期限判定を行う、視聴期限判定方法である。
【００３７】
また、第１５の本発明は、
第１３の本発明のコンテンツ書き出し方法の、前記可換型メディアを挿入されたコンテンツ再生機が前記コンテンツ保護方式で視聴期限を判定する際に用いる現在時刻を特定するために参照する前記コンテンツ保護方式の第１の時刻供給源の代わりとして、前記著作権保護方式で指定された第２の時刻供給源を示す時刻供給源指定情報を前記コンテンツに関連付けて、前記可換型メディアに書き出すステップをコンピュータに実行させるプログラムである。
【００３８】
また、第１６の本発明は、
第１４の本発明の視聴期限判定方法の、前記可換型メディアを挿入されたコンテンツ再生機が前記コンテンツ保護方式で視聴期限を判定する際に用いる現在時刻を特定するために参照する前記コンテンツ保護方式の第１の時刻供給源の代わりとして、前記時刻供給源指定情報で示される前記第２の時刻供給源に基づいて得た時刻を参照して、前記可換型メディアに記録された前記コンテンツの視聴期限判定を行うステップをコンピュータに実行させるプログラムである。
【００３９】
また、第１７の本発明は、
第１５または第１６の本発明のプログラムを記録した記録媒体であって、コンピュータにより処理可能な記録媒体である。
【発明の効果】
【００４０】
本発明により、著作権保護方式で視聴期限が管理されたコンテンツを可換型メディアに書き出した場合に、その書き出されたコンテンツに対しても、その著作権保護方式で規定される時刻管理の信頼度に応じた視聴期限の管理ができる、コンテンツ受信機、コンテンツ再生機、コンテンツ再生システム、コンテンツ書き出し方法および視聴期限判定方法等を提供できる。
【図面の簡単な説明】
【００４１】
【図１】本発明の実施の形態１におけるコンテンツ配信システムの構成図
【図２】本発明の実施の形態１におけるＣＰＳシステム上のコンテンツ管理情報を示す図
【図３】本発明の実施の形態１におけるコンテンツ再生機の視聴期限判定方法を示すフロー図
【図４】従来のコンテンツ配信システムの構成図
【発明を実施するための形態】
【００４２】
（実施の形態１）
以下、本発明の実施の形態１について、図面を参照しながら説明する。以下、図４に示した従来例と同じ機能を持つ部分については同じ番号を付し、説明を省略する。
【００４３】
図１は、本実施の形態１におけるコンテンツ配信システムの構成図である。
【００４４】
ＤＲＭサーバ２１２は、コンテンツ受信機２１１に対してコンテンツ１０４の視聴条件１３０を供給する際に、コンテンツ１０４に関連付けた、時刻参照サーバＵＲＬ２００を供給する。
【００４５】
コンテンツ受信機２１１の視聴条件変換部２０６は、ＳＤカード１０３にＣＰＳ視聴期限１１０を書き込む際に一緒に、この時刻参照サーバの場所を表す時刻参照サーバＵＲＬ２００を書き込む。ここで、時刻参照サーバＵＲＬ２００の指し示す先は、ＤＲＭ時刻サーバ２１３となっており、ＤＲＭ時刻サーバ２１３は、ＣＰＳシステムの時刻取得ＡＰＩ（Ａｐｐｌｉｃａｔｉｏｎ  Ｐｒｏｇｒａｍ  Ｉｎｔｅｒｆａｃｅ）を備えており、任意の端末からの要求に応じてＣＰＳ時刻２０１を供給することが可能である。ここで視聴条件変換部２０６は、必要に応じて、ＤＲＭサーバ２１２から得られた視聴条件１３０に含まれる視聴期限情報が、コンテンツの視聴可能な時間の長さである場合には、コンテンツの視聴可能な期限日時に変換しても構わない。
【００４６】
コンテンツ再生機２１０における視聴期限取得部２０５は、ＳＤカード１０３からＣＰＳ視聴期限１１０と時刻参照サーバＵＲＬ２００とを読み出し、視聴期限判定部２０２に渡す。視聴期限判定部２０２は、視聴期限取得部２０５から受け取った時刻参照サーバＵＲＬ２００に有意な文字列が記載されていて、かつ、当該文字列で記載されたアドレスに有効なサーバが存在した場合には、ＣＰＳ時刻サーバ１１６に時刻を問い合わせる代わりに時刻参照サーバＵＲＬ２００で指し示されるサーバに時刻を問い合わせる。この問い合わせ判定動作については後ほど詳しく説明するが、時刻参照サーバＵＲＬ２００の指し示すサーバから取得したＣＰＳ時刻２０１の管理方法は、セキュア時計１１４および時刻設定日時１１５を用いる管理方法と同様に、セキュア時計２０３および時刻設定日時２０４にて管理される。セキュア時計１１４における日時管理とセキュア時計２０３における日時管理の違いは、セキュア時計２０３で管理する場合には、保持しておいた時刻参照サーバＵＲＬ２００を参照する点だけである。
【００４７】
なお、コンテンツサーバ１００、ＤＲＭサーバ２１２およびＤＲＭ時刻サーバ２１３によってコンテンツを保護するＤＲＭが、本発明の著作権保護方式の一例にあたり、ＳＤカード上のコンテンツを保護するＣＰＳが、本発明の、著作権保護方式とは異なるコンテンツ保護方式の一例にあたる。また、ＣＰＳ時刻サーバ１１６が、本発明の第１の時刻供給源の一例にあたり、ＤＲＭ時刻サーバ２１３が、本発明の第２の時刻供給源の一例にあたる。また、ＣＰＳで管理されるＳＤカード１０３が、本発明の可換型メディアの一例にあたる。なお、可換型メディアとは、交換可能な記録メディアのことである。本実施の形態で説明したＳＤメモリカード１０３のように、可換型メディアを用いることで、コンテンツ受信機２１１で読み書きができ、さらに、コンテンツ再生機２１０でも読み書きができる。また、時刻参照サーバＵＲＬ２００が、本発明の時刻供給源指定情報の一例にあたり、時刻参照サーバＵＲＬ２００をＳＤカード１０３に書き出す視聴条件変換部２０６が、本発明の書き出し部の一例にあたる。また、視聴条件変換部２０６は、本発明の視聴条件変換部の一例にもあたる。また、コンテンツ再生機２１０の視聴期限判定部２０２が、本発明の視聴期限判定部の一例にあたる。また、セキュア時計１３４が、本発明のセキュア時計部の一例にあたり、セキュア時計２０３が、本発明の機器内時刻供給源の一例にあたる。
【００４８】
図２は、ＳＤカード１０３上におけるコンテンツ管理情報の詳細を示した図である。
【００４９】
ＳＤカード１０３上に記録された各コンテンツは、ファイルエントリ３００にて個別に識別される。それぞれのコンテンツには、コンテンツファイル名３０１、コンテンツ属性情報３０２、復号鍵、視聴期限管理情報３０３および時刻参照先ＵＲＬ３０４がそれぞれ記録されている。時刻参照先ＵＲＬ３０４は、コンテンツによっては情報が記録されていないこともある（例えば、図２において、ファイルエントリ３００のエントリ番号２のコンテンツｒｅｃ００１．ｃｐｘの時刻参照先ＵＲＬ３０４は”Ｎ／Ａ”で表示している）。
【００５０】
レンタルコンテンツの視聴期限情報の付与形態として、対象コンテンツの再生許諾条件を絶対日時で指定した形態で付与する場合と、端末上で初回視聴を行う際に視聴期限を確定させるために、付与時には絶対日時が指定されておらず、例えば７２時間などの視聴可能期間だけが指定された形で付与される場合（視聴期限が未確定で付与される場合）がある。
【００５１】
図２のファイルエントリ３００のエントリ番号１およびエントリ番号４のコンテンツの視聴期限管理情報３０３は、視聴時間に７２時間が設定されており、視聴開始の日時は未設定の状態（”Ｎ／Ａ”と表示している）となっている。これらのコンテンツは、視聴期限が未確定で付与されるタイプであり、まだ初回視聴を行なっていないものであることを表している。
【００５２】
一方、ファイルエントリ３００のエントリ番号３のコンテンツの視聴期限管理情報３０３は、視聴時間に７２時間が設定されているとともに、視聴開始に絶対日時が設定されている。これは、このコンテンツが、当初から絶対時間で視聴期限が設定されているものであること、または、視聴期限が未確定で付与されるタイプであって、既に再生を行なったことにより視聴期限が確定されたものであること、のいずれかを表している。
【００５３】
また、ファイルエントリ３００のエントリ番号２のコンテンツの視聴期限管理情報３０３は、視聴時間が無期限となっている。これは、このコンテンツが、いつまでも自由に再生できるものであり、視聴期限管理されていないコンテンツであることを表している。
【００５４】
次に、コンテンツ再生機２１０でＳＤカード１０３上のコンテンツ１０４を再生する際の、視聴期限判定部２０２における視聴期限判定処理時の動作について説明する。
【００５５】
図３は、コンテンツ再生機２１０の視聴期限判定部２０２における視聴期限判定方法を示したフロー図である。
【００５６】
視聴期限判定部２０２は、ユーザからの指示（図示せず）によりＳＤカード１０３上の特定のコンテンツを再生開始しようとする際に、ファイルエントリ３００を検索してコンテンツ管理情報から当該コンテンツの関連情報を読み出す。
【００５７】
この関連情報の中には視聴期限管理情報３０３が含まれており、視聴期限判定部２０２は、ステップＳ４００において、まず当該コンテンツが視聴期限管理されているコンテンツかどうかを判定する。
【００５８】
視聴期限管理情報３０３の視聴時間が設定されていない場合、すなわち図２のエントリ番号２のように視聴時間が無期限のものは、視聴期限管理されていないコンテンツであると判定され、視聴期限判定部２０２は、再生制御部１２０に対してそのコンテンツの再生が可能である旨を通知し、再生制御部１２０がＣＰＳ復号部１１１に復号動作を指示して、そのコンテンツの再生が開始する（ステップＳ４０７）。
【００５９】
ステップＳ４００において、視聴期限が管理されているコンテンツであると判定された場合、視聴期限判定部２０２は、次に当該コンテンツの視聴期限が確定しているかどうかを判定する（ステップＳ４１０）。
【００６０】
図２のエントリ番号３のように視聴期限管理情報３０３の中の視聴開始と視聴時間とに有意な値が設定されている場合には、ステップＳ４１０において、当該コンテンツが視聴期限が確定しているコンテンツであると判定してステップＳ４０１に進む。
【００６１】
ステップＳ４０１において、視聴期限判定部２０２は、視聴期限管理情報３０３の当該コンテンツの時刻参照先ＵＲＬ３０４に記載されている時刻参照サーバＵＲＬ２００を視聴期限取得部２０５から取得し、ここに有意なＵＲＬが記載されているかどうかを判定する。有意なＵＲＬが記載されていなければステップＳ４０３において通常のＣＰＳ時刻サーバ１１６からＣＰＳ時刻１１７を取得する。また、有意なＵＲＬが記載されていれば、ステップＳ４０２において通常のＣＰＳ時刻サーバ１１６ではなく時刻参照先ＵＲＬ３０４で指定された時刻参照サーバＵＲＬ２００で示されたサーバからＣＰＳ時刻２０１を取得する。この場合は、当該コンテンツの時刻参照先ＵＲＬ３０４には、時刻参照サーバＵＲＬ２００としてＤＲＭ時刻サーバ２１３のＵＲＬが記載されているため、視聴期限判定部２０２はＤＲＭ時刻サーバ２１３から時刻を取得することとなる。
【００６２】
次に視聴期限判定部２０２は、このようにしてステップＳ４０２またはステップＳ４０３で取得された時刻情報を用い、視聴期限管理情報３０３に記載された視聴期限が既に超過しているか否かをステップＳ４０４で判定する。
【００６３】
なお、図２のコンテンツ管理情報では、視聴期限管理情報３０３に視聴開始の日時と視聴時間とが記載されているので、この場合には、視聴開始日時に視聴時間を加算した日時を当該コンテンツの視聴期限（視聴可能な最終日時）として、視聴期限の超過が判定される。
【００６４】
その結果、視聴期限が超過していなければ、視聴期限判定部２０２は、ステップＳ４０７にて再生制御部１２０によってＣＰＳ復号部１１１に復号動作を指示させ、当該コンテンツの再生を開始させる。逆に視聴期限が超過していた場合には、視聴期限判定部２０２は、ステップＳ４０５において当該コンテンツを削除する。
【００６５】
ステップＳ４１０において、図２のエントリ番号１またはエントリ番号４のコンテンツのように視聴期限管理情報３０３の中の視聴時間のみが設定され視聴開始が未設定のコンテンツの場合、すなわち視聴期限が未確定タイプのコンテンツであった場合には、視聴期限判定部２０２は、当該コンテンツが視聴期限が未確定のコンテンツであると判定してステップＳ４１１に進む。
【００６６】
ステップＳ４１１において、視聴期限判定部２０２は、当該コンテンツの時刻参照先ＵＲＬ３０４の指定があるかを確認し、その指定の有無に応じて、ステップＳ４１２またはステップＳ４１３の処理により時刻を取得する。
【００６７】
ステップＳ４１１、ステップＳ４１２およびステップＳ４１３では、視聴期限判定部２０２は、それぞれステップＳ４０１、ステップＳ４０２およびステップＳ４０３と同様の処理を行う。
【００６８】
視聴期限判定部２０２は、ステップＳ４１２またはステップＳ４１３において時刻を取得した後、そのコンテンツの視聴期限を確定する（ステップＳ４１４）。具体的には、コンテンツ管理情報の視聴期限管理情報３０３の値が設定されていなかった視聴開始に、ＣＰＳ時刻サーバ１１６またはＤＲＭ時刻サーバ２１３から取得した現在日時を設定することにより、そのコンテンツの視聴期限を確定する。
【００６９】
当該コンテンツの視聴期限を確定した後、視聴期限判定部２０２は、再生制御部１２０によってＣＰＳ復号部１１１に復号動作を指示させ、当該コンテンツの再生を開始させる（ステップＳ４０７）。
【００７０】
なお、本実施の形態１では、コンテンツ再生機２１０におけるＣＰＳ時刻の参照にはＣＰＳ時刻サーバ１１６からの時刻取得を例として説明したが、ＣＰＳ端末における時刻取得方法はこれに限らない。例えば放送波に重畳されて送信されてくる時刻を端末の基準時刻としてもよいし、機器内で運針管理する時計を参照していても同じ効果が得られることは言うまでもない。
【００７１】
また、本発明の実施の形態１では、視聴期限の判定および確定の都度にＤＲＭ時刻サーバ２１３から時刻を取得し、また、セキュア時計２０３に時刻情報を格納している。この際に、一度ＤＲＭ時刻サーバ２１３に時刻情報を問い合わせ、セキュア時計２０３の時刻を更新し、時刻を運針しているのならば、その時刻を更新した後の予め定められた期間（例えば、１週間）の間は、ＤＲＭ時刻サーバ２１３に対して時刻情報を問い合わせる代わりに、セキュア時計２０３から取得した時刻を用いるように構成しても構わない。つまり、セキュア時計２０３の時刻を更新するタイミング（例えば、１週間ごと）の、各更新の間の期間は、セキュア時計２０３から取得した時刻を用いるようにしてもよい。なお、この場合、前回の更新日時を時刻設定日時２０４として記憶させておいて、セキュア時計２０３の更新するタイミングを管理する。
【００７２】
ただし、コンテンツ再生機２１０の装置自体のコストの観点から見ると、視聴期限の判定および確定の都度にＤＲＭ時刻サーバ２１３から時刻を取得することとすれば、セキュア時計２０３を備える必要が無くなり、部品を削減できるので、コストを低減することができる。
【００７３】
また、本実施の形態１では、コンテンツ再生機２１０において、時刻参照サーバＵＲＬ２００が指定されていないコンテンツについてはセキュア時計１１４を用い、時刻参照サーバＵＲＬ２００が指定されているコンテンツについてはセキュア時計２０３を用いることとしたが、時刻参照サーバＵＲＬ２００が指定されていないコンテンツについてもセキュア時計２０３の時刻を参照するようにしてもよい。このようにすることにより、コンテンツ再生機２１０にセキュア時計１１４を設ける必要がなくなる。
【００７４】
また、本実施の形態１では、コンテンツ受信機２１１が蓄積媒体１３１に蓄積しているコンテンツを再生する際には、セキュア時計１３４の日時情報を用いて視聴期限の判定を行なうこととしたが、コンテンツ受信機２１１における視聴期限の判定の際にも、コンテンツ再生機２１０と同様に、ＤＲＭ時刻サーバ２１３から時刻を取得して、その時刻に基づいて視聴期限の判定を行なうようにしてもよい。
【００７５】
また、本実施の形態１では、ＤＲＭサーバ２１２から指定される時刻取得先の指定方法として時刻参照サーバＵＲＬ２００を用いたが、時刻取得先の指定はこれに限らない。すなわち、ＤＲＭ側が指定する時刻参照をコンテンツ再生機２１０が行うことができればよく、例えば電波時計からの時刻取得や、ＮＴＰ（Ｎｅｔｗｏｒｋ  Ｔｉｍｅ  Ｐｒｏｔｏｃｏｌ）からの時刻取得をＤＲＭ側から指定しても同様の効果が得られることは言うまでもない。
【００７６】
また、本実施の形態１では、可換型メディアの例としてＳＤカード１０３を用いて説明したが、ＳＤメモリカード以外の可換型メディアにも適用できる。可換型メディアの例 として、ＳＤメモリカード、ＵＳＢメモリカードなども利用できる。
【００７７】
また、本実施の形態１では、ＤＲＭで管理される本発明の第２の時刻供給源として、ＤＲＭサーバ２１２とは別のＤＲＭ時刻サーバ２１３を用いることとして説明したが、ＤＲＭ時刻サーバ２１３を設けずに、ＤＲＭサーバ２１２がＤＲＭで管理される時刻を供給する機能を備えるようにしてもよい。その場合には、ＤＲＭサーバ２１２がコンテンツ受信機２１１に供給する時刻参照サーバＵＲＬ２００の指示す先にはＤＲＭサーバ２１２のＵＲＬが設定されることになる。
【００７８】
以上説明したように、本発明のコンテンツ受信機およびコンテンツ再生機を用いることにより、コンテンツサーバからダウンロードしたコンテンツの視聴期限がＤＲＭサーバから指定され、これを可換型メディアに書き出す際にＣＰＳシステムの視聴期限に変換した場合においても、もとのＤＲＭシステムが意図した視聴期限をＣＰＳ側で遵守することができる。すなわち、ＤＲＭで視聴期限を管理されているコンテンツを受信したコンテンツ受信機が、当該コンテンツをＣＰＳで保護された可換型メディア上に書き出した場合でも、この可換型メディア上のコンテンツを再生するコンテンツ再生機は、元来のＤＲＭサーバから正しく時刻を取得して当該コンテンツの視聴期限判定を行うことが可能となり、コンテンツ権利者およびコンテンツ配信を行う事業者の意図するとおりのコンテンツ視聴ライセンスをユーザに販売することが可能となる。
【００７９】
なお、コンテンツ受信機２１１の、視聴期限判定部１３３や視聴条件変換部２０６などの機能は、ハードウェアだけで実現するよりも、ＣＰＵによりプログラムを実行させてソフトウェアで実現した方が、サーバから受信する視聴条件１３０のデータ構成やフォーマットの変更などに柔軟に対応できる。また、コンテンツ再生機２１０の、視聴期限取得部２０５や視聴期限判定部２０２などの機能も、ソフトウェアで実現した方がコンテンツ管理情報のデータ構成の変更などに柔軟に対応できる。
【００８０】
なお、本発明のプログラムは、上述したコンテンツ書き出し方法の、前記可換型メディアを挿入されたコンテンツ再生機が前記コンテンツ保護方式で視聴期限を判定する際に用いる現在時刻を特定するために参照する前記コンテンツ保護方式の第１の時刻供給源の代わりとして、前記著作権保護方式で指定された第２の時刻供給源を示す時刻供給源指定情報を前記コンテンツに関連付けて、前記可換型メディアに書き出すステップの動作をコンピュータにより実行させるためのプログラムであって、コンピュータと協働して動作するプログラムである。
【００８１】
また、本発明のプログラム記録媒体は、上述したコンテンツ書き出し方法の、前記可換型メディアを挿入されたコンテンツ再生機が前記コンテンツ保護方式で視聴期限を判定する際に用いる現在時刻を特定するために参照する前記コンテンツ保護方式の第１の時刻供給源の代わりとして、前記著作権保護方式で指定された第２の時刻供給源を示す時刻供給源指定情報を前記コンテンツに関連付けて、前記可換型メディアに書き出すステップの動作をコンピュータにより実行させるためのプログラムを記録したプログラム記録媒体であり、コンピュータにより読み取り可能かつ、読み取られた前記プログラムが前記コンピュータと協働して利用されるプログラム記録媒体である。
【００８２】
また、本発明のプログラムは、上述した視聴期限判定方法の、前記可換型メディアを挿入されたコンテンツ再生機が前記コンテンツ保護方式で視聴期限を判定する際に用いる現在時刻を特定するために参照する前記コンテンツ保護方式の第１の時刻供給源の代わりとして、前記時刻供給源指定情報で示される前記第２の時刻供給源に基づいて得た時刻を参照して、前記可換型メディアに記録された前記コンテンツの視聴期限判定を行うステップの動作をコンピュータにより実行させるためのプログラムであって、コンピュータと協働して動作するプログラムである。
【００８３】
また、本発明のプログラム記録媒体は、上述した視聴期限判定方法の、前記可換型メディアを挿入されたコンテンツ再生機が前記コンテンツ保護方式で視聴期限を判定する際に用いる現在時刻を特定するために参照する前記コンテンツ保護方式の第１の時刻供給源の代わりとして、前記時刻供給源指定情報で示される前記第２の時刻供給源に基づいて得た時刻を参照して、前記可換型メディアに記録された前記コンテンツの視聴期限判定を行うステップの動作をコンピュータにより実行させるためのプログラムを記録したプログラム記録媒体であり、コンピュータにより読み取り可能かつ、読み取られた前記プログラムが前記コンピュータと協働して利用されるプログラム記録媒体である。
【００８４】
また、本発明の上記「前記ステップの動作」とは、前記ステップの全部または一部の動作を意味する。
【００８５】
また、本発明のプログラムの一利用形態は、コンピュータにより読み取り可能な、ＲＯＭ等の記録媒体に記録され、コンピュータと協働して動作する態様であっても良い。
【００８６】
また、本発明のプログラムの一利用形態は、インターネット等の伝送媒体、光・電波等の伝送媒体中を伝送し、コンピュータにより読みとられ、コンピュータと協働して動作する態様であっても良い。
【００８７】
また、上述した本発明のコンピュータは、ＣＰＵ等の純然たるハードウェアに限らず、ファームウェアや、ＯＳ、更に周辺機器を含むものであっても良い。
【００８８】
なお、以上説明した様に、本発明の構成は、ソフトウェア的に実現しても良いし、ハードウェア的に実現しても良い。
【産業上の利用可能性】
【００８９】
本発明に係るコンテンツ受信機、コンテンツ再生機、コンテンツ再生システム、コンテンツ書き出し方法および視聴期限判定方法等は、著作権保護方式で視聴期限が管理されたコンテンツを可換型メディアに書き出した場合に、その書き出されたコンテンツに対しても、その著作権保護方式で規定される時刻管理の信頼度に応じた視聴期限の管理ができる効果を有し、ネットワーク上のコンテンツサーバから著作権保護されたレンタルコンテンツをダウンロードし、可換型メディアに視聴期限とともに書き出し、コンテンツ再生機で可換型メディア上の視聴期限を判定してコンテンツの再生可否を判断する、コンテンツ受信機、コンテンツ再生機、コンテンツ再生システム、コンテンツ書き出し方法および視聴期限判定方法等として有用である。
【符号の説明】
【００９０】
１００  コンテンツサーバ
１０１  ＤＲＭサーバ
１０２  コンテンツ受信機
１０３  ＳＤカード
１０４  コンテンツ
１０５  コンテンツ鍵
１０７  ＤＲＭ復号部
１０８  ＣＰＳ暗号化部
１０９  視聴条件変換部
１１０  ＣＰＳ視聴期限
１１１  ＣＰＳ復号部
１１２  出力部
１１３  視聴期限判定部
１１４  セキュア時計
１１５  時刻設定日時
１１６  ＣＰＳ時刻サーバ
１１７  ＣＰＳ時刻
１１９  コンテンツ再生機
１２０  再生制御部
１２１  ＣＰＳ鍵
１３０  視聴条件
１３１  蓄積媒体
１３２  出力部
１３３  視聴期限判定部
１３４  セキュア時計
１４０  視聴期限取得部
２００  時刻参照サーバＵＲＬ
２０１  ＣＰＳ時刻
２０２  視聴期限判定部
２０３  セキュア時計
２０４  時刻設定日時
２０５  視聴期限取得部
２０６  視聴条件変換部
２１０  コンテンツ再生機
２１１  コンテンツ受信機
２１２  ＤＲＭサーバ
２１３  ＤＲＭ時刻サーバ
３００  ファイルエントリ
３０１  コンテンツファイル名
３０２  コンテンツ属性情報
３０３  視聴期限管理情報
３０４  時刻参照先ＵＲＬ
【図１】
2011081764.tif 000003
【図２】
2011081764.tif 000004
【図３】
2011081764.tif 000005
【図４】
2011081764.tif 000006